(57)【要約】【課題】  簡単な構造で改善され機能を有する吸入器を提供する。【解決手段】  本発明は、口金部（３）に導かれる吸入空気ダクト（１２）、物質（１０）用貯蔵室（１１）、および一定の物質量を貯蔵室（１１）から供与位置（U）の吸入空気へ分離するため、直線的に移動する計量室（２６）から構成される、粉末状物質特に薬剤物質（１０）の吸入器（１）に関するもので、構造的に簡単で外部空気の添加を不要とする解決法を得るため、計量室（２６）の延長方向にある吸入空気流（Ｓ）の成分により計量室（２６）を空にすることを提案している。
2005538816.tif 000002
【特許請求の範囲】
【請求項１】
口金部（３）に導かれる吸入空気ダクト（１２）、物質（１０）用貯蔵室（１１）、および一定の物質量を貯蔵室（１１）から吸入空気への供与位置（U）の吸入空気へ分離するため、直線的に移動する計量室（２６）から構成される、粉末状物質特に薬剤物質（１０）の吸入器（１）において、
計量室（２６）の伸びる方向にある吸入空気流（Ｓ）の成分により計量室（２６）を空にすることを特徴とする吸入器。
【請求項２】
特に、計量室（２６）を閉止キャップに関連して移動することができる心棒（２５）の横孔として形成することを特徴とする請求項１に記載する吸入器。
【請求項３】
特に、円錐形の横穴であることを特徴とする請求項１または２のいずれかに記載する吸入器。
【請求項４】
特に、計量室（２６）が吸入空気流（Ｓ）に接続する空気通路（４０）に割当てられることを特徴とする請求項１ないし３のいずれかに記載する吸入器。
【請求項５】
特に、計量室（２６）の両側の開放端がそれぞれの空気通路（４０）の前に配置されることを特徴とする請求項１ないし４のいずれかに記載する吸入器。
【請求項６】
特に、計量室（２６）の大きい内法直径の端部を、これより小さな直径の空気通路（４０）に配置し、小さい内法直径の端部を、これより大きな直径の空気通路（４０）に配置することを特徴とする請求項１ないし５のいずれかに記載する吸入器。
【請求項７】
特に、空気通路（４０）が壷形の心棒（２５）を案内する回転部（２２）に形成され、口金部（３）の周囲壁（３７）の空気入り口（４２）と流体的に接続されることを特徴とする請求項１ないし６のいずれかに記載する吸入器。
【請求項８】
特に、空気通路（４０）が口金部（３）の近くに設けられた空気入り口（４２）と軸方向に変位されていることを特徴とする請求項１ないし７のいずれかに記載する吸入器。
【請求項９】
特に、壷形の床を持つ回転部（２２）が、貯蔵室（１１）のカバー（２３）を形成し、その中央に潜行スライダの機能を有する心棒（２５）の案内開口部（２４）が設けられることを特徴とする請求項１ないし８のいずれかに記載する吸入器。
【請求項１０】
特に、潜行方向の端部がねじ回しの刃先状に尖った心棒（２５）が、半径方向の羽根（３３）によって回転部（２２）に回転するよう結合されていることを特徴とする請求項１ないし９のいずれかに記載する吸入器。
【請求項１１】
特に、壷形の回転部（２２）の壷の壁（３５）が、羽根（３３）を案内する軸方向の案内溝（３４）を備えていることを特徴とする請求項１ないし１０のいずれかに記載する吸入器。
【請求項１２】
特に、口金部（３）に設けられた心棒（２５）の引っ張り限界ストッパ（３６）が、基底壁区間によって供与位置（U）が設定される計量室（２６）の放出準備位置を規定することを特徴とする請求項１ないし１１のいずれかに記載する吸入器。
【請求項１３】
特に、口金部側に設けられ、過負荷時に開放される心金（２５）および閉止キャップ（４）間の結合位置（２８）を特徴とする請求項１ないし１２のいずれかに記載する吸入器。
【請求項１４】
特に、回転部（２２）は固定子（Ｓｔ）が配置される回転子（Ｒ）を備え、回転部（２２）の戻り回転によって計量室（２６）に汲み取るように作用する翼効果を特徴とする請求項１ないし１３のいずれかに記載する吸入器。
【請求項１５】
特に、回転部（２２）の床の円板（４９）から突き出し支持板によって支持される回転子ブレード（４７）を特徴とする請求項１ないし１４のいずれかに記載する吸入器。
【請求項１６】
特に、回転子ブレード（４７）が鎌形の輪郭を備えていることを特徴とする請求項１ないし１５のいずれかに記載する吸入器。
【請求項１７】
特に、２つの互いに対向する回転子ブレード（４７）を特徴とする請求項１ないし１６のいずれかに記載する吸入器。
【請求項１８】
特に、回転子ブレード（４７）は半径方向に心棒（２５）の中心に向かう面（５０）を備えてほぼ１／４の区間に広がり、その面に対してほぼ直角な翼面（５１）が心棒（２５）に対して隙間を残して円周方向に調整されることを特徴とする請求項１ないし１７のいずれかに記載する吸入器。
【請求項１９】
特に、面（５０）が共通の直径（ｙ−ｙ）上にある（ことを特徴とする請求項１ないし１８のいずれかに記載する吸入器。
【請求項２０】
特に、回転子（Ｒ）が固定子（Ｓｔ）の下側に噛み合い、固定子（Ｓｔ）は貯蔵室（１１）の内壁から半径方向に内側に突き出して、回転子（Ｒ）の回転軌道（５４）内に自由に達する突起として形成されることを特徴とする請求項１ないし１９のいずれかに記載する吸入器。
【請求項２１】
特に、固定子（Ｓｔ）は貯蔵室（１１）の内壁を基礎とする梯形の輪郭を備えることを特徴とする請求項１ないし２０のいずれかに記載する吸入器。
【請求項２２】
特に、回転軌道（５４）は軸方向に回転部（２２）の円板（４９）の下側およびそれと相対する回転子ブレード（４７）の内側によって制約されることを特徴とする請求項１ないし２１のいずれかに記載する吸引器。
【請求項２３】
特に、固定子（Ｓｔ）は輪郭的に回転子ブレード（４７）間に残された１／４区間の中間空間（５５）内にあることを特徴とする請求項項１ないし２２のいずれかに記載する吸入器。
【請求項２４】
特に、回転部（２２）の案内開口部（２４）は、心棒（２５）の円筒状の区間を取巻く気密ブッシュ（５６）により内張りされることを特徴とする請求項項１ないし２３のいずれかに記載する吸入器。
【請求項２５】
特に、貯蔵室（１１）の内壁および回転部（２２）間に予圧を与えて取り付けた気密リング（５８）によって特徴付けられる請求項１ないし２４のいずれかに記載する吸入器。
【請求項２６】
特に、両方の部品のリング状溝（５９、６０）の気密リング（５８）は合わせて嵌め込まれ、回転部（２２）に設けられるリング状溝（５９）はＶ字形の谷形溝として構成し、それと同じ高さに設けられる貯蔵室（１１）のリング状溝（６０）は半円方荷に形成することを特徴とする請求項１ないし２５のいずれかに記載する吸入器。
【請求項２７】
特に、閉止キャップ（４）は、ねじキャップとして形成され、口金部（３）と同時回転手段（４５／４６）によって共同作用することを特徴とする請求項１ないし２６のいずれかに記載する吸入器。
【発明の詳細な説明】
【技術分野】
【０００１】
本発明は、口金部に導かれる吸入空気ダクト、物質用貯蔵室、および一定の物質量を貯蔵室から供与位置の吸入空気へ分離するため直線的に移動する計量室から構成される、粉末状物質特に薬剤物質の吸入器に関するものである。
【背景技術】
【０００２】
この種の吸引器はＤＥ―ＯＳ４０２７３９１号によって既知である。投与すべき物質量は下側に向かって漏斗状の貯蔵室内で外側に移動することができる計量室に与えられる。搬送体は説明される直線的に移動することができるスライダである。口金部のダクト内に設けられる計量室の後側の空間は、ピストン／シリンダ装置に貯蔵されている空気量に結合する。吸入を実施すると、吸入空気流の空気容積は突然開放され自由になる。機械的に流れを強化する吸入ストロークが計量室を空にする。負圧によって開放される圧力空気の排出には相当に複雑な構造を必要とし、突然に発生する空気衝撃に対し殆どの患者に少なくとも相当に慣れる必要がある。
【発明の開示】
【発明が解決しようとする課題】
【０００３】
本発明の課題は、対象とする吸入器を構造的に簡単な方法で、外部の空気の添加を不要とし、しかも再現性のある部分量を完全に投与できるように構成することである。
【課題を解決するための手段】
【０００４】
この課題は先ず本質的に請求項１の特徴を有する吸入器によって解決され、計量室の延長方向の吸入空気流の成分で計量室を空にすることに重点を置く。
【０００５】
このような構成により、構造的に簡単で動作の確実な吸入器が得られる。吸入は計量室が問題なく空になる充分な供与負圧を提供する。供与領域は流れの成分が存在し特に排出に効果的である。直線的に移動する計量室は汲み出し動作を行ない、供与位置に達すると再び元に戻ることのないように貯蔵領域からの粉末状物質を分離する。従来の技術においては、不均一な量をもたらすことのある源の後方、すなわち進入する外部空気流にスクリーンを取り付けることによってこれを防止するように努力した。
【０００６】
それ以外の請求項の対象は、請求項１の対象に関して以下のことを説明するものであるが、その独立した構成が重要な場合がある。たとえばさらに、計量室を閉止キャップの関連して移動することができる心棒の横孔として形成することを提案する。供与準備位置は、閉止および開放の普通の操作により簡単にいわば自動的に達成される。貫通する横孔は両側から排出できることが好ましい。特に効果的な対策は円錐形の横孔によって生ずる。分離された物質は吸引空気流の成分によって広い端部から素早く供与される。計量室の伸びる方向に導かれる空気の流れの成分を得るため、計量室が吸引空気流に接続する空気通路に配置されることが重要である。こうすることによって局部的な負圧範囲が得られる。計量室の両側の開放端かそれぞれ空気通路に対面すると好都合である。円錐形の横孔の場合、計量室の大きい方の内法直径端がそれよりも小さな直径の空気通路に配置され、小さい方の内法直径端がそれよりも大きな直径の空気通路に配置されるとさらに好都合である。広い方の端部から高い負圧によって優先的に排出され、さらに対応してその方向に広がる計量室の壁により摩擦による阻害は生じない。本発明はさらに空気の通路を壷形の心棒を案内する回転部に形成し、口金部の周囲壁の流入空気と流体的に結合させることを提案する。対応する流入空気は吸入器の周囲壁側に、使用者の唇または吸入器の棒状体を手で握ることによって閉じられないように配置する。さらに閉じられる危険を低減するため、多くの互いに距離を置いた空気入り口を設ける。粉末状物質を吸入空気に良好に分配するため、空気通路を口金部の近い方に設けられる空気入り口と軸方向にずらして配置する。こうすることによって先ず対向する流路が得られる。さらに好都合に、壷形の床を持つ回転部が貯蔵室のカバーを形成し、その中央に潜行スライダとして機能する心棒の案内開口部が設けられる。壷形の床は２つの機能を備える。間接または直接的なカバーおよび心棒の案内である。さらに潜行方向の端部がねじ回しの刃先状に尖った心棒は、半径方向の羽根によって回転部に回転結合される有利な特徴が生ずる。一方では形成されたナイフ状の刃先が、心棒が粉末の貯蔵室に潜入すると同時に中心部の効果的な回転ばらし効果を助長し、他方では心棒の回転部に対する好ましい支持が得られ、さらに計量室に対する空気通路の位置決めが維持される。必要な心棒および回転部の相互の相対的直線移動は、壷形の回転部の壷形壁に羽根を案内する軸方向の案内溝を設ける簡単な方法で達成される。この解決策は、計量室の基底壁区間が供与位置となる排出準備位置を規定する、口金部から要求される心棒の引っ張り限界ストッパの特徴を持つ。閉止キャップに関連する心棒の支持は、さらに口金部側に設けられた過負荷時に開放される心棒および閉止キャップ間の結合位置によって特徴付けられる。吸入器を再び閉じる場合は、心棒および閉止キャップ間の新しい結合が生ずる。独自の価値を持つ構造は、回転部は固定子が付随する回転子を備え、回転部の戻り回転によって計量室に汲み込むうに作用する翼効果を具体化したことである。これによって補充および計量室の粉末量の密度を一定に保つことができる。さらに周囲に与える粉末粒子の塊を排除するばらし効果がある。戻り回転とは閉止キャップのねじを緩め、それに伴なう計量室への充填作用を意味する。詳しく言えば、翼部は回転部の床の円板から始まる支持体に取り付けられる回転子ブレードによって形成される。ブレードはランセットまたは鎌形の輪郭を示す。これは２つの直径上に互い対向する回転子ブレードとして形成される。構造は具体的に、回転子ブレードは半径方向に心棒の中心に向かう面を備えてほぼ１／４の区間に広がり、その面に対してほぼ直角な翼面が心棒に対して隙間を残して円周方向に調整される。これによって押し潰し作用場所が排除される。例えば搬送体に付着した薬剤物質がこすり落とされることはない。それに加えて面は共通な直径上に配置される。さらに構造的な特徴は、回転子が固定子の下側に噛み合い、固定子は貯蔵室の内壁から半径方向に内側に突き出して、回転子の回転軌道内に自由に達する突起として形成し、翼効果があるが薬剤を傷めないよう構成されていることである。固定子は梯形の輪郭を有しその根元は貯蔵室の内壁に固定される。回転軌道は軸方向に回転部の円板の下側およびそれに対向する回転子ブレードの内側によって制約される。さらに固定子の輪郭は２つの回転子ブレードの間に残された１／４の区間内とする配置上好都合な構成とする。これによって充分な組立てスペースが得られる。回転部の案内開口部が心棒を取囲む気密ブッシュから構成される円筒状の区間から構成されると気密および案内上有利である。これはゴムまたはゴムに類似した材料である。心棒の軸から除去された粉末状の物質は気密ブッシュによって取り除かれる。供与すべき計量体の量に誤りは生じない。同様に気密に関した供与機構の対策が、貯蔵室の内壁および回転部の間の予圧を与えて取り付けた気密リングによって与えられる。ここでもゴムまたはゴム状の材料が使用される。それに加えて両方の部品のリング状溝の気密リングは合わせて嵌め込まれ、回転部に設けられるリング状溝はＶ字形の谷形溝として構成し、それと同じ高さに設けられる貯蔵室のリング状溝は半円方荷に形成する。谷形溝は回転部の回転案内として機能する。最後に、閉止キュップをねじキャップとして形成し、同時回転手段によって口金部と共同作用することを提案する。同時回転手段は爪形結合に類似したもので、ねじが開放されると結合が分離される。
【０００７】
本発明の対象は、以下図面に示される実施例によって詳細に説明する。
【発明の効果】
【０００８】
簡単な構造で外部の空気の添加を不要とし、再現性のある部分量を投与できる吸入器が得られる。
【発明を実施するための最良の形態】
【０００９】
図示した吸入器１は容易に持運びすることができ、短棒形状のポケット器具として形成される。形状は段付けのある円筒状のケース２によって決定される。
【００１０】
小形円筒状のケース２は、吸入器１の頭部側に設けられた口金部３に接続する。口金部は口当たりが良く、コップ状の閉止キャッブ４が保護するように覆っている。
【００１１】
閉止キャップ４はねじ込みキヤップとして形成される。その内ねじ５はケース２の外壁の外ねじ６に噛み合う。口金部３の装着部には閉止キャップに４にクリップ７が形成される。
【００１２】
コップ形閉止キャップ４の脚側の端面は、上述の円筒状のケース２の段付けにより達成されるリング状の肩部８に気密を維持して突き当たる。
【００１３】
ねじ結合部５／６の軸方向のねじストロークは，閉止キャップ４が同時に操作ハンドル９として粉末状物質１０から再現可能な部分量１０’を取り出すように動作するために利用し、ケース２の貯蔵室１１の物質は必要な場合は再充填することができるように取り出される。部分量１０’を貯蔵室１１の外部にある供与位置?に供給する計量装置全体をＤにより示す。
【００１４】
計量すべき材料は薬剤粉末状物質１０で、例えば基本的物質（乳糖）の特性を持ち、微細な薬剤粉末がその表面に付着して、搬送体として作用する吸引流により搬送できるものである。
【００１５】
計量装置Ｄの後方に、正確に分離された物質１０の部分量１０’を供与位置Uで残らず放出するため、使用者が吸引空気流Ｓを発生させるいわゆる拡散領域が接続される。口金部３に導かれる吸入空気ダクトに参照記号１２を付す。
【００１６】
貯蔵室１１の下側の隔壁に、壷形の圧力床１３が形成される。圧力床幅ね荷重を受けて口金部３の方向を向く。対応する圧縮ばねに参照記号１４を付す。その脚側端巻はケース２を閉じる床キャップ１５に支えられる。床キャップは断面を広げた区間でケース２に噛み合い係合される。対応する係合カラー１６はケース２のリング溝に噛み合う。
【００１７】
与圧を受けた圧縮ばね１４の頭部側の端巻は、ピストン状の装置１３／１８の中空ピストン１８の内側肩部１７に荷重を加える。
【００１８】
段を付けたつぼ形の圧力床１３は、内側肩部１７に係合接続される。
【００１９】
圧力床１３の壷の縁にリング舌状体１９が設けられ、そのゴム弾性材料によって、貯蔵室２１の壁の上を物質の損失を生ずることなく滑動する。
【００２０】
床キャップ１５の中央に短軸２０が伸び出す。これは中空で中空ピストン１８とともに圧縮ばね１４のばね室２１を形成する。
【００２１】
貯蔵室１１の口金開口部側は、壷形の回転部品２２によって閉じられる。これはケース２を覆う貯蔵室１１のカバー２３の壷形床によって形成される。
【００２２】
カバー２３の中央に案内開口部２４が残される。これは間接的または直接的に、計量装置Ｄの重要部品としての心棒２５の案内開口部２４を形成する。心棒は適切な構成により、潜行スライダとして持ち上げるべき部分量１０’用の直線的に移動する計量室２６の動作をする。スライダは、ほぼ回転対称に構成された吸入器１の縦方向中心軸ｘ−ｘに沿って移動する。
【００２３】
心棒２５は口金開口部３と反対側端部に、ねじ回しの刃先状の尖った先端が形成される。これは粉末状物質１０の貯蔵室内で、心棒２５とともに回転して中央の範囲をばらばらにする作用を備えている。実質的に尖った屋根状の刃先２７は、２つの鏡面対称の斜めの面を持ち根元側で心棒２５の円筒状の軸に接続される。斜めの面は約６０度の角度で囲まれる。心棒２５の円筒状の基本断面は刃先２７の範囲で維持される（図７参照）。直線的に移動する計量室２６のストロークにおいて、心棒２５の両方の端末位置で、上記の開口部２４の全長にわたってドクタブレードまたは削り取り作用によって、計量室を充填しながら案内開口部２４の断面が閉じられるように考慮される。
【００２４】
閉止キャップ４の口金部側の端に、過負荷の場合に開放される結合位置２８が心棒２５および閉止キャップ４の間に形成される。閉止キャップ側の係合手段はばね作用を持つ鉤形のリングである。鉤形のリングにおける舌状のばねの内側に向いた突起２９は、心棒２５の細い腰状のリング溝３０と噛み合う。外側に向ってリング溝３０は係合頭部３１に連続する。突起２９は両方向に係合頭部を乗り越えることができる。係合頭部が形成される材料の集積はほぼレンズ形となる。
【００２５】
突起２９またはその舌状のばねは、口金開口部３’に突き出す短円筒３２によって形成され、閉止キャップ４のカバー内面から突き出している。短円筒はキャップに固定されている。
【００２６】
心棒２５はスポーク状に形成された半径方向の羽根３３によって回転部２２に回転結合される。羽根３３はその自由端区間が、吸入空気ダクト１２を横切る軸方向の３個で充分である回転部２２の案内溝３４と噛み合う。等角度に配分された案内溝３４は、壷形回転部２２におけるの壷形の壁３５の内側に設けられる。さらに軸方向の案内溝３４は、心棒２５の貯蔵室１１の充填面からカバー２３の上側の説明した供与位置Uまでの、粉末を汲み込む潜行ストロークが保証される長さとする。
【００２７】
規定された計量室２６の排出可能位置は、口金部３に設けられた心棒２５の限界ストッパによって与えられる。ストッパは口金部３の内側に戻る壁の端面で、案内溝３４の出口を塞いでいる。
【００２８】
口金部３はケース２の首部に固定された周囲壁３７によって形成される。この部分に両方の部品２、３の間の係合位置３８が形成される。これは非可逆的な係合位置３８である。さらに明らかなように、回転部２２のカバー２３はリング状の肩部３９によって覆うように固定される。
【００２９】
計量室２６は縦方向の中心ｘ−ｘに対しほぼ垂直に伸びる横方向の孔として形成される。排出可能位置に移動すると、計量室２６は中央の吸引空気流Ｓの作動領域になる。計量室２６は吸入空気ダクト１２に接続される空気通路４０に配置される。これは回転部２２の壷形壁３５に形成される。これは半径方向の穴である。この穴は壷型の回転部２２の床に近い部分の、カバー２３の高さかまたはその直ぐ上側に伸びる。
【００３０】
明らかなように計量室２６の両側の開放端は、空気通路４０に半径方向の距離を置いて対向する。これに関連して、計量室２６の円錐状の横孔の大きい方の内法直径の端部にそれより小さい直径の空気通路４０が配置され、計量室２６の円錐状の横孔の小さい方の内法直径の端部にそれより大きい直径の空気通路４０が配置される対策がとられる。これによって小さい直径の空気通路４０の後側に、供給された部分量１０’に対する非常に強い排出効果を持つ高い負圧が発生する。それにも関らず、計量室２６からの排出は両側端部から行なわれる。
【００３１】
心棒２５を気密に案内する壷形状の回転部２２に形成される通路４０は、背面のリング状空間４１を介して半径方向に距離を置いて空気入り口４２に流体的に結合される。空気入り口も孔として形成され大気に接続する。上記のリング状空間４１は壷形状の回転部２２における壷形の壁３５の外側および口金部３の周囲壁３７の間に設けられる。
【００３２】
明らかなように空気通路４０は空気入り口４２に対して軸方向にずらして配置される。空気入り口４２は口金部３に近い方に設けられる。説明した空間的な距離の位置により、最初反対方向に吸入される空気が主吸入流Ｓに合流する。これにより実際に計量室２６の伸びる方向の吸入空気Ｓの成分が形成され、計量室２６が完全に空になる。使用者はその都度正確な分量を吸入する。供与位置Uは計量室２６の基底区間に設定される。
【００３３】
対応した放出のため、粉末状物質１０の汲み取り位置における特別な準備方法が開発された。詳しく言うと、望ましい組織の均一性またはばらばらな周辺から供給される計量室２６の均一な「詰め込み」を確実にする条件が達成された。このため回転部２２を改善した方法で利用する。貯蔵室１１の上側の範囲で動作する回転子Ｒを備えている。これに固定子Ｓｔが配置される。回転子２２の回転を利用して塊をばらばらにすると同時に、回転子２２の戻り回転時の翼効果によって計量室２６内に粉末を汲み取る。すなわち閉止キャップ４を緩める場合に、それを操作ハンドル９として利用する。対応する同伴効果は、翼３３によって半径方向に回転しない心棒２５によって与えられるので、計量室２６の軸心が空気通路４０に対して変位することはない。勿論周囲壁３７は形状的な結合手段によって回転するように固定される。一般に、固定は例えばリング状空間４１の口金部方向端部を閉じるリングフランジ４３の摩擦による結合で充分である。フランジは壷形壁３５の周囲壁から突き出し、その縁は口金部３の周囲壁３７の内側に接触する。
【００３４】
図１および図４から明らかなように、口金部３およびねじで取り外す閉止キャップ４の間の同時回転は，両者間の爪形結合４４によって行われる。爪形結合は口金部３の周囲壁３７の長い歯４５により構成され、長い歯は対応する閉止キャップ４３の内側の歯型凹部４６と噛み合う。
【００３５】
翼の形成は２つの回転子ブレード４７である。これは基本的に鎌状の輪郭を備えている。両方の回転子ブレード４７には吸入器１の縦方向の中心軸ｘ−ｘに関して直径的に対向して設けられる。ブレードは中心から離れて軸方向に伸びる支持板４８に保持される。これは回転部２２のアームまたは円板４９の下側に結合される。
【００３６】
回転部２２の床またはカバー２３から貯蔵室側に突き出した自立した回転子ブレード４７は、周方向に充分に離れて直径上の対向位置に配置される。幾何学的には貯蔵室１１の円形断面のほぼ１／４の区間を占める。これは図６に示される。両方の回転子ブレード４７は半径方向に心棒２５の中心に向かう面５０、およびそれと直角に形成されるブレード面５１を備えている。これは心棒２５の周囲壁に対し隙間を残した距離に伸びる。隙間は記号５２を持つ。従ってすりつぶし効果は回避される。面５０は直径上にあることは明らかである。面５０の共通の直径を図６においてｙ―ｙで示す。空間的に平行なブレード面５１は直径ｙ−ｙに対し垂直で、空気通路４０の孔の軸心と一致する計量室２６の横孔軸ｚ―ｚに対しても空間的に平行である。
【００３７】
回転子ブレード４７が結合される円板４９または２本のアームは、回転部２２のカバー２３のリング状の壁５３から突き出している。
【００３８】
図５において特に明瞭に、回転子Ｒが固定子Ｓｔの下側に噛み合い、固定子Ｓｔは貯蔵室１１の内壁から半径方向内側に突き出して、回転子Ｒの回転軌道５４内に自由に達する突起として形成されていることが分る。回転軌道５４は、軸方向に回転部２２の円板４９の下側および相対する回転子ブレード４７の内側で制限されていることが分る。回転軌道を形成する軸方向の間隔は、この方向に測定した突起である固定子Ｓｔの厚さよりも著しく大きい。従って、摩擦に敏感な投与すべき粉末状物質１０に対して機械的な負荷を与えることはない。
【００３９】
固定子Ｓｔは梯形の輪郭を備えている。その円弧状の基礎部は貯蔵室１１の内壁に結合される。基礎部は半径方向の内側に向って面積的に細くなる固定子Ｓｔが、輪郭的に２つの回転子ブレード４７の間に残る１／４区間の間の中間空間５５より小さくなるように寸法を決める。図６から分るように、これは回転軌道５４内での固定子の固定用の十分な組立て開口を提供する。
【００４０】
固定子Ｓｔの半径方向の内側への突き出しは、梯形の山頂面が同様に支持板４８の外側と隙間を持って終わるような半径方向の長さとする。
【００４１】
翼効果は図６から矢印に着目することにより明らかである。矢印ａは回転部２２の戻り回転方向を示す。翼面５１はその前にある粉末を押し出す面として作用する。矢印ｂは大きい内法直径の備えた計量室２６の端部に関する概略の押し出し方向を示す。矢印ｃは別の回転子ブレード４７の対応する効果を示し、これも翼面５１の翼効果に関するものである。固定子Ｓｔはこの場合、同時に回転軌道５４の通路における位置が固定された邪魔板となる。粉末状の物質１０は操縦作用を持つ梯形面の近くにある翼面５１によって素早く室を充填するよう移動し、既に説明したように常に同じ充填条件が得られる。計量室２６は壷形回転部２２のカバー２３の上側の供与位置Uに到達するまで、計量装置Ｄの地域を通過して上昇しながら数回にわたって回転する。
【００４２】
掻き落とし作用を持つ案内開口部２４によって、計量の誤りを与える心棒の周囲に付着する粉末材料を持ち込むことはない。案内開口部は回転点部２２に直接形成せず、貫通部を内張りする気密ブッシュ５６により形成する。気密ブッシュはゴム弾性材料から構成され、カバー２３に係合手段５７によって嵌め込み保持される。ブッシュの高さは円板４９の上側の高さまで達する。
【００４３】
また粉末の紛失をもたらす半径方向の外側に達する抜け出し穴は無く、回転部２２および貯蔵室１１を形成するケース２の間は同じように気密要素が設けられる。これは貯蔵室１１の内壁および回転部２２の間に設けられたゴム弾性材料の気密リング５８により達成される。上記の気密リング５８は予圧を与えて取り付けられる。気密リング５８は２および２２の両方の部品におけるリング状の溝に合わせてはめ込まれる。回転部２２に設けられるリング状溝には参照記号５９を付ける。これはＶ字形の谷形溝として形成される。リング状の壁５３の範囲にあるリング状溝５９の開放角度は約９０度である。溝の輪郭は中心対称で回転案内作用を有する。別の同じ高さのリング状溝６０がケース２の内側、すなわち貯蔵室１１の上側入り口範囲に設けられる。この周囲を取巻くリング状の溝６０の断面は半円形である。組立を容易にするため、リング状の溝６０の前面を回転対称の導入傾斜部６１とする。
【００４４】
持ち上げ心棒として形成した心棒２５は、計量室２６の容積に応じて変更することができ、すなわち計量装置Ｄの主要部品のみを、別の部分量１０’の正確な再現性のある計量を行なうため交換する。
【００４５】
ピストン状の作用をする圧力床１３は、シリンダ空間に対する移動において、ケースはリング状の舌状体１９の背部に空気バランス開口部６２が設けられているので、ケース２の中央区間で能力が損なわれることは無い。
【００４６】
壷形の圧力床１３は、中央に貯蔵室１１の反対方向の凹部を有している。回転子ブレード４７の基本位置において、軸方向に下側に突出する心棒５の端部区間が収容される深さである。
【００４７】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００４８】
吸入器として利用できる。
【図面の簡単な説明】
【００４９】
【図１】本発明による、キャップを閉じた基本位置における吸入器の拡大した側面図である。
【図２】その俯瞰図である。
【図３】吸入器の側面図である。
【図４】閉止キャップを取り排出準備位置にある、図１のような吸入器の断面図である。
【図５】中間位置にある心棒の図１の拡大図で、計量室は固定子の高さに延びている。
【図６】図５の線ＶＩ−ＶＩの断面図である。
【図７】回転子および固定子を備えたの回転部分の詳細および固定子の俯瞰図で、心棒下端の刃物状の形状を示す。
【図８】吸入器を構成する部品の分解配列図で、すべての部品は縦方向断面、心棒は部分的断面である。
【図１】
2005538816.tif 000003
【図２】
2005538816.tif 000004
【図３】
2005538816.tif 000005
【図４】
2005538816.tif 000006
【図５】
2005538816.tif 000007
【図６】
2005538816.tif 000008
【図７】
2005538816.tif 000009
【図８】
2005538816.tif 000010
【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
口金部（３）に導かれる吸入空気ダクト（１２）、物質（１０）用貯蔵室（１１）、および一定の物質量を貯蔵室（１１）から供与位置（U）の吸入空気に分離するため、直線的に移動する計量室（２６）から構成される、粉末状物質特に薬剤物質（１０）の吸入器（１）において、
ほぼ回転対称に構成された吸入器（１）の縦方向の軸心（ｘ−ｘ）の頭部側に形成された口金部（３）に中心の吸入空気流（Ｓ）を発生させるため空気入り口（４２）が設けられ、
計量室（２６）はほぼ縦方向の軸心（ｘ−ｘ）と垂直に伸びる横孔として形成され、中央の吸入空気流（Ｓ）が存在する作用領域における排出位置において、計量室（２６）の伸びる方向にある吸入空気流（Ｓ）の成分により計量室（２６）を空にすることを特徴とする吸入器。
【請求項２】
口金部（３）用の閉止キャップが設けられ、計量室（２６）は閉止キャップに関連して移動することができる心棒（２５）の一部として形成することを特徴とする請求項１に記載する吸入器分。
【請求項３】
横穴が円錐形のであることを特徴とする請求項１または２のいずれかに記載する吸入器。
【請求項４】
計量室（２６）が吸入空気流（Ｓ）に接続する空気通路（４０）に割当てられることを特徴とする請求項１ないし３のいずれかに記載する吸入器。
【請求項５】
計量室（２６）の両側の開放端がそれぞれの空気通路（４０）の前に配置されることを特徴とする請求項４に記載する吸入器。
【請求項６】
計量室（２６）の大きい内法直径の端部を、これより小さな直径の空気通路（４０）に配置し、小さい内法直径の端部を、これより大きな直径の空気通路（４０）に配置することを特徴とする請求項５に記載する吸入器。
【請求項７】
空気通路（４０）が壷形の心棒（２５）を案内する回転部（２２）に形成され、口金部（３）の周囲壁（３７）の空気入り口（４２）と流体的に接続されることを特徴とする請求項５または６のいずれかに記載する吸入器。
【請求項８】
空気通路（４０）が口金部（３）の近くに設けられた空気入り口（４２）と軸方向に変位されていることを特徴とする請求項５ないし７のいずれかに記載する吸入器。
【請求項９】
壷形の床を持つ回転部（２２）が、貯蔵室（１１）のカバー（２３）を形成し、その中央に潜行スライダの機能を有する心棒（２５）の案内開口部（２４）が設けられることを特徴とする請求項７または８のいずれかに記載する吸入器。
【請求項１０】
潜行方向の端部がねじ回しの刃先状に尖った心棒（２５）が、半径方向の羽根（３３）によって回転部（２２）に回転結合されていることを特徴とする請求項７ないし９のいずれかに記載する吸入器。
【請求項１１】
壷形の回転部（２２）の壷の壁（３５）が、羽根（３３）を案内する軸方向の案内溝（３４）を備えることを特徴とする請求項１ないし１０のいずれかに記載する吸入器。
【請求項１２】
口金部（３）に設けられた心棒（２５）の引っ張り限界ストッパ（３６）が、基底壁区間によって供与位置（U）が設定される計量室（２６）の放出準備位置を規定することを特徴とする請求項１ないし１１のいずれかに記載する吸入器。
【請求項１３】
口金部側に設けられ、過負荷時に開放される心金（２５）および閉止キャップ（４）間の結合位置（２８）を特徴とする請求項１ないし１２のいずれかに記載する吸入器。
【請求項１４】
回転部（２２）は固定子（Ｓｔ）が配置される回転子（Ｒ）を備え、回転部（２２）の戻り回転によって計量室（２６）に汲み取るように作用する翼効果を特徴とする請求項７ないし１３のいずれかに記載する吸入器。
【請求項１５】
回転部（２２）の床の円板（４９）から突き出し、支持板によって支持される回転子ブレード（４７）を特徴とする請求項７ないし１４のいずれかに記載する吸入器。
【請求項１６】
回転子ブレード（４７）が鎌形の輪郭を備えていることを特徴とする請求項１５に記載する吸入器。
【請求項１７】
２つの互いに対向する回転子ブレード（４７）を特徴とする請求項１５または１６のいずれかに記載する吸入器。
【請求項１８】
回転子ブレード（４７）は半径方向に心棒（２５）の中心に向かう面（５０）を備えてほぼ１／４の区間に広がり、その面に対してほぼ直角な翼面（５１）が心棒（２５）に対して隙間を残して円周方向に調整されることを特徴とする請求項１５ないし１７のいずれかに記載する吸入器。
【請求項１９】
面（５０）が共通の直径（ｙ−ｙ）上にある（ことを特徴とする請求項１４ないし１８のいずれかに記載する吸入器。
【請求項２０】
回転子（Ｒ）が固定子（Ｓｔ）の下側に噛み合い、固定子（Ｓｔ）は貯蔵室（１１）の内壁から半径方向に内側に突き出して、回転子（Ｒ）の回転軌道（５４）内に自由に達する突起として形成されることを特徴とする請求項１４ないし１９のいずれかに記載する吸入器。
【請求項２１】
固定子（Ｓｔ）は貯蔵室（１１）の内壁を基礎とする梯形の輪郭を備えることを特徴とする請求項１４ないし２０のいずれかに記載する吸入器。
【請求項２２】
回転軌道（５４）は軸方向に回転部（２２）の円板（４９）の下側およびそれと相対する回転子ブレード（４４７）の内側によって制約されることを特徴とする請求項２０または２１のいずれかに記載する吸引器。
【請求項２３】
固定子（Ｓｔ）は輪郭的に回転子ブレード（４７）間に残された１／４区間の中間空間（５５）内にあることを特徴とする請求項項２０ないし２２のいずれかに記載する吸入器。
【請求項２４】
回転部（２２）の案内開口部（２４）は、心棒（２５）の円筒状の区間を取巻く気密ブッシュ（５６）により内張りされることを特徴とする請求項項７ないし２３のいずれかに記載する吸入器。
【請求項２５】
貯蔵室（１１）の内壁および回転部（２２）間に予圧を与えて取り付けた気密リング（５８）によって特徴付けられる請求項７ないし２４のいずれかに記載する吸入器。
【請求項２６】
両方の部品のリング状溝（５９、６０）の気密リング（５８）は合わせて嵌め込まれ、回転部（２２）に設けられるリング状溝（５９）はＶ字形の谷形溝として構成し、それと同じ高さに設けられる貯蔵室（１１）のリング状溝（６０）は半円方荷に形成することを特徴とする請求項２５に記載する吸入器。
【請求項２７】
閉止キャップ（４）は、ねじキャップとして形成され、口金部（３）と同時回転手段によって共同作用することを特徴とする請求項２ないし２６のいずれかに記載する吸入器。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念の特徴による吸入器に関するものである。
【背景技術】
【０００２】
従来の技術は先ずＤＥ４０２７３９１Ａ１号が参照される。投与すべき物質量は下側に向かって漏斗状の貯蔵室内で外側に移動することができる計量室に与えられる。搬送体は示される直線的に移動することができるスライダである。口金部のダクト内に設けられる計量室の後側の空間は、ピストン／シリンダ装置に貯蔵されている空気量に結合する。吸入を実施すると、吸入空気流の空気容積は突然開放され自由になる。機械的に流れを強化する吸入ストロークが計量室を空にする。負圧によって開放される圧力空気の排出には相当に複雑な構造を必要とし、突然に発生する空気衝撃に対し殆どの患者に少なくとも相当に慣れる必要がある。
【発明の開示】
【発明が解決しようとする課題】
【０００３】
ＷＯ０１／２１２３８号により、計量室が心棒部品の縦方向の軸心方向に伸びる穴として形成される吸入器は既知である。吸入空気流は計量室を直接貫流する。またこの文書に対象は、強力で吸入すべき物質の普通の細かい分布を持った空気衝撃を突然発生させる。またＵＳ−Ａ５２３９９９２号の対象においても同様な状態が存在る。ここでも吸入空気流は直接計量室に導かれる。ＤＥ１００４７７２２Ａ１号は頭部に口金部を備えた回転対称の吸入器を説明している。計量室はタペットにより積極的に空にされる。吸入すべき物質の取り込みの説明は示されていない。従来の技術としてさらにＵＳ−Ａ５４２９１２２号に言及しなければならない。しかしこの既知の対象は吸入空気を直接計量室に貫通させる。対応してすでにＷＯ０１／２１２３８号を考慮して述べた欠点が生ずる。
【課題を解決するための手段】
【０００４】
本発明は、請求項１の上位概念の特徴に対応する吸入器において，吸入すべき物質を吸入空気流に有利に供与することができる構造を提供するという課題に基づくものである。
【０００５】
この課題は請求項１の対象によって解決される。
【０００６】
簡単で動作の確実な吸入器が得られる。吸入は計量室が完全に空になる充分な排出負圧をもたらす。供与領域における流れの成分は特に排出に効果がある。直線的に移動する計量室は汲み出し動作を行ない、供与位置に達すると再び元に戻ることのないように貯蔵領域からの粉末状物質を分離する。従来の技術においては、不均一な量をもたらす源の後方すなわち進入する外部空気流にスクリーンを取り付けることによってこれを防止するように努力した。
【０００７】
それ以外の請求項の対象は、請求項１の対象に関して以下のことを説明するものであるが、その独立した構成が重要な場合がある。例えばさらに、計量室を閉止キャップの関連して移動することができる心棒の横孔として形成することを提案する。供与準備位置は、閉止および開放の普通の操作により簡単にいわば自動的に達成される。貫通する横孔は両側から排出できることが好ましい。特に効果的な対策は円錐形の横孔によって生ずる。分離された物質は吸引空気流の成分によって広い端部から素早く供与される。計量室の伸びる方向に導かれる空気の流れの成分を得るため、計量室が吸引空気流に接続する空気通路に配置されることが重要である。こうすることによって局部的な負圧範囲が得られる。計量室の両側の開放端かそれぞれ空気通路に対面すると好都合である。円錐形の横孔の場合、計量室の大きい方の内法直径端がそれよりも小さな直径の空気通路に配置され、小さい方の内法直径端がそれよりも大きな直径の空気通路に配置されるとさらに好都合である。広い方の端部から高い負圧によって優先的に排出され、さらに対応してその方向に広がる計量室の壁により摩擦による阻害は生じない。本発明はさらに空気の通路を壷形の心棒を案内する回転部に形成し、口金部の周囲壁の流入空気と流体的に結合させることを提案する。対応する流入空気は吸入器の周囲壁側に、使用者の唇または吸入器の棒状体を手で握ることによって閉じられないように配置する。さらに閉じられる危険を低減するため、多くの互いに距離を置いた空気入り口を設ける。粉末状物質を吸入空気に良好に分配するため、空気通路を口金部の近い方に設けられる空気入り口と軸方向にずらして配置する。こうすることによって先ず対向する流路が得られる。さらに好都合に、壷形の床を持つ回転部が貯蔵室のカバーを形成し、その中央に潜行スライダとして機能する心棒の案内開口部が設けられる。壷形の床は２つの機能を備える。間接または直接的なカバーおよび心棒の案内である。さらに潜行方向の端部がねじ回しの刃先状に尖った心棒は、半径方向の羽根によって回転部に回転結合される有利な特徴が生ずる。一方では形成されたナイフ状の刃先が、心棒が粉末の貯蔵室に潜入すると同時に中心部の効果的な回転ばらし効果を助長し、他方では心棒の回転部に対する好ましい支持が得られ、さらに計量室に対する空気通路の位置決めが維持される。必要な心棒および回転部の相互の相対的直線移動は、壷形の回転部の壷形壁に羽根を案内する軸方向の案内溝を設ける簡単な方法で達成される。この解決策は、計量室の基底壁区間が供与位置となる排出準備位置を規定する、口金部から要求される心棒の引っ張り限界ストッパの特徴を持つ。閉止キャップに関連する心棒の支持は、さらに口金部側に設けられた過負荷時に開放される心棒および閉止キャップ間の結合位置によって特徴付けられる。吸入器を再び閉じる場合は、心棒および閉止キャップ間の新しい結合が生ずる。独自の価値を持つ構造は、回転部は固定子が付随する回転子を備え、回転部の戻り回転によって計量室に汲み込むうに作用する翼効果を具体化したことである。これによって補充および計量室の粉末量の密度を一定に保つことができる。さらに周囲に与える粉末粒子の塊を排除するばらし効果がある。戻り回転とは閉止キャップのねじを緩め、それに伴なう計量室への充填作用を意味する。詳しく言えば、翼部は回転部の床の円板から始まる支持体に取り付けられる回転子ブレードによって形成される。ブレードはランセットまたは鎌形の輪郭を示す。これは２つの直径上に互い対向する回転子ブレードとして形成される。構造は具体的に、回転子ブレードは半径方向に心棒の中心に向かう面を備えてほぼ１／４の区間に広がり、その面に対してほぼ直角な翼面が心棒に対して隙間を残して円周方向に調整される。これによって押し潰し作用場所が排除される。例えば搬送体に付着した薬剤物質がこすり落とされることはない。それに加えて面は共通な直径上に配置される。さらに構造的な特徴は、回転子が固定子の下側に噛み合い、固定子は貯蔵室の内壁から半径方向に内側に突き出して、回転子の回転軌道内に自由に達する突起として形成し、翼効果があるが薬剤を傷めないよう構成されていることである。固定子は梯形の輪郭を有しその根元は貯蔵室の内壁に固定される。回転軌道は軸方向に回転部の円板の下側およびそれに対向する回転子ブレードの内側によって制約される。さらに固定子の輪郭は２つの回転子ブレードの間に残された１／４の区間内とする配置上好都合な構成とする。これによって充分な組立てスペースが得られる。回転部の案内開口部が心棒を取囲む気密ブッシュから構成される円筒状の区間から構成されると気密および案内上有利である。これはゴムまたはゴムに類似した材料である。心棒の軸から除去された粉末状の物質は気密ブッシュによって取り除かれる。供与すべき計量体の量に誤りは生じない。同様に気密に関した供与機構の対策が、貯蔵室の内壁および回転部の間の予圧を与えて取り付けた気密リングによって与えられる。ここでもゴムまたはゴム状の材料が使用される。それに加えて両方の部品のリング状溝の気密リングは合わせて嵌め込まれ、回転部に設けられるリング状溝はＶ字形の谷形溝として構成し、それと同じ高さに設けられる貯蔵室のリング状溝は半円方荷に形成する。谷形溝は回転部の回転案内として機能する。最後に、閉止キュップをねじキャップとして形成し、同時回転手段によって口金部と共同作用することを提案する。同時回転手段は爪形結合に類似したもので、ねじが開放されると結合が分離される。
【０００８】
本発明の対象は、以下図面に示される実施例によって詳細に説明する。
【発明の効果】
【０００９】
簡単な構造で外部の空気の添加を不要とし、再現性のある部分量を投与できる吸入器が得られる。
【発明を実施するための最良の形態】
【００１０】
図示した吸入器１は容易に持運びすることができ、短棒形状のポケット器具として形成される。形状は段付けのある円筒状のケース２によって決定される。
【００１１】
小形円筒状のケース２は、吸入器１の頭部側に設けられた口金部３に接続する。口金部は口当たりが良く、コップ状の閉止キャッブ４が保護するように覆っている。
【００１２】
閉止キャップ４はねじ込みキヤップとして形成される。その内ねじ５はケース２の外壁の外ねじ６に噛み合う。口金部３の装着部には閉止キャップに４にクリップ７が形成される。
【００１３】
コップ形閉止キャップ４の脚側の端面は、上述の円筒状のケース２の段付けにより達成されるリング状の肩部８に気密を維持して突き当たる。
【００１４】
ねじ結合部５／６の軸方向のねじストロークは，閉止キャップ４が同時に操作ハンドル９として粉末状物質１０から再現可能な部分量１０’を取り出すように動作するために利用し、ケース２の貯蔵室１１の物質は必要な場合は再充填することができるように取り出される。部分量１０’を貯蔵室１１の外部にある供与位置Uに供給する計量装置全体をＤにより示す。
【００１５】
計量すべき材料は薬剤粉末状物質１０で、例えば基本的物質（乳糖）の特性を持ち、微細な薬剤粉末がその表面に付着して、搬送体として作用する吸引流により搬送できるものである。
【００１６】
計量装置Ｄの後方に、正確に分離された物質１０の部分量１０’を供与位置Uで残らず放出するため、使用者が吸引空気流Ｓを発生させるいわゆる拡散領域が接続される。口金部３に導かれる吸入空気ダクトに参照記号１２を付す。
【００１７】
貯蔵室１１の下側の隔壁に、壷形の圧力床１３が形成される。圧力床幅ね荷重を受けて口金部３の方向を向く。対応する圧縮ばねに参照記号１４を付す。その脚側端巻はケース２を閉じる床キャップ１５に支えられる。床キャップは断面を広げた区間でケース２に噛み合い係合される。対応する係合カラー１６はケース２のリング溝に噛み合う。
【００１８】
与圧を受けた圧縮ばね１４の頭部側の端巻は、ピストン状の装置１３／１８の中空ピストン１８の内側肩部１７に荷重を加える。
【００１９】
段を付けたつぼ形の圧力床１３は、内側肩部１７に係合接続される。
【００２０】
圧力床１３の壷の縁にリング舌状体１９が設けられ、そのゴム弾性材料によって、貯蔵室２１の壁の上を物質の損失を生ずることなく滑動する。
【００２１】
床キャップ１５の中央に短軸２０が伸び出す。これは中空で中空ピストン１８とともに圧縮ばね１４のばね室２１を形成する。
【００２２】
貯蔵室１１の口金開口部側は、壷形の回転部品２２によって閉じられる。これはケース２を覆う貯蔵室１１のカバー２３の壷形床によって形成される。
【００２３】
カバー２３の中央に案内開口部２４が残される。これは間接的または直接的に、計量装置Ｄの重要部品としての心棒２５の案内開口部２４を形成する。心棒は適切な構成により、潜行スライダとして持ち上げるべき部分量１０’用の直線的に移動する計量室２６の動作をする。スライダは、ほぼ回転対称に構成された吸入器１の縦方向中心軸ｘ−ｘに沿って移動する。
【００２４】
心棒２５は口金開口部３と反対側端部に、ねじ回しの刃先状の尖った先端が形成される。これは粉末状物質１０の貯蔵室内で、心棒２５とともに回転して中央の範囲をばらばらにする作用を備えている。実質的に尖った屋根状の刃先２７は、２つの鏡面対称の斜めの面を持ち根元側で心棒２５の円筒状の軸に接続される。斜めの面は約６０度の角度で囲まれる。心棒２５の円筒状の基本断面は刃先２７の範囲で維持される（図７参照）。直線的に移動する計量室２６のストロークにおいて、心棒２５の両方の端末位置で、上記の開口部２４の全長にわたってドクタブレードまたは削り取り作用によって、計量室を充填しながら案内開口部２４の断面が閉じられるように考慮される。
【００２５】
閉止キャップ４の口金部側の端に、過負荷の場合に開放される結合位置２８が心棒２５および閉止キャップ４の間に形成される。閉止キャップ側の係合手段はばね作用を持つ鉤形のリングである。鉤形のリングにおける舌状のばねの内側に向いた突起２９は、心棒２５の細い腰状のリング溝３０と噛み合う。外側に向ってリング溝３０は係合頭部３１に連続する。突起２９は両方向に係合頭部を乗り越えることができる。係合頭部が形成される材料の集積はほぼレンズ形となる。
【００２６】
突起２９またはその舌状のばねは、口金開口部３’に突き出す短円筒３２によって形成され、閉止キャップ４のカバー内面から突き出している。短円筒はキャップに固定されている。
【００２７】
心棒２５はスポーク状に形成された半径方向の羽根３３によって回転部２２に回転結合される。羽根３３はその自由端区間が、吸入空気ダクト１２を横切る軸方向の３個で充分である回転部２２の案内溝３４と噛み合う。等角度に配分された案内溝３４は、壷形回転部２２におけるの壷形の壁３５の内側に設けられる。さらに軸方向の案内溝３４は、心棒２５の貯蔵室１１の充填面からカバー２３の上側の説明した供与位置Uまでの、粉末を汲み込む潜行ストロークが保証される長さとする。
【００２８】
規定された計量室２６の排出可能位置は、口金部３に設けられた心棒２５の限界ストッパによって与えられる。ストッパは口金部３の内側に戻る壁の端面で、案内溝３４の出口を塞いでいる。
【００２９】
口金部３はケース２の首部に固定された周囲壁３７によって形成される。この部分に両方の部品２、３の間の係合位置３８が形成される。これは非可逆的な係合位置３８である。さらに明らかなように、回転部２２のカバー２３はリング状の肩部３９によって覆うように固定される。
【００３０】
計量室２６は縦方向の中心ｘ−ｘに対しほぼ垂直に伸びる横方向の孔として形成される。排出可能位置に移動すると、計量室２６は中央の吸引空気流Ｓの作動領域になる。計量室２６は吸入空気ダクト１２に接続される空気通路４０に配置される。これは回転部２２の壷形壁３５に形成される。これは半径方向の穴である。この穴は壷型の回転部２２の床に近い部分の、カバー２３の高さかまたはその直ぐ上側に伸びる。
【００３１】
明らかなように計量室２６の両側の開放端は、空気通路４０に半径方向の距離を置いて対向する。これに関連して、計量室２６の円錐状の横孔の大きい方の内法直径の端部にそれより小さい直径の空気通路４０が配置され、計量室２６の円錐状の横孔の小さい方の内法直径の端部にそれより大きい直径の空気通路４０が配置される対策がとられる。これによって小さい直径の空気通路４０の後側に、供給された部分量１０’に対する非常に強い排出効果を持つ高い負圧が発生する。それにも関らず、計量室２６からの排出は両側端部から行なわれる。
【００３２】
心棒２５を気密に案内する壷形状の回転部２２に形成される通路４０は、背面のリング状空間４１を介して半径方向に距離を置いて空気入り口４２に流体的に結合される。空気入り口も孔として形成され大気に接続する。上記のリング状空間４１は壷形状の回転部２２における壷形の壁３５の外側および口金部３の周囲壁３７の間に設けられる。
【００３３】
明らかなように空気通路４０は空気入り口４２に対して軸方向にずらして配置される。空気入り口４２は口金部３に近い方に設けられる。説明した空間的な距離の位置により、最初反対方向に吸入される空気が主吸入流Ｓに合流する。これにより実際に計量室２６の伸びる方向の吸入空気Ｓの成分が形成され、計量室２６が完全に空になる。使用者はその都度正確な分量を吸入する。供与位置Uは計量室２６の基底区間に設定される。
【００３４】
対応した放出のため、粉末状物質１０の汲み取り位置における特別な準備方法が開発された。詳しく言うと、望ましい組織の均一性またはばらばらな周辺から供給される計量室２６の均一な「詰め込み」を確実にする条件が達成された。このため回転部２２を改善した方法で利用する。貯蔵室１１の上側の範囲で動作する回転子Ｒを備えている。これに固定子Ｓｔが配置される。回転子２２の回転を利用して塊をばらばらにすると同時に、回転子２２の戻り回転時の翼効果によって計量室２６内に粉末を汲み取る。すなわち閉止キャップ４を緩める場合に、それを操作ハンドル９として利用する。対応する同伴効果は、翼３３によって半径方向に回転しない心棒２５によって与えられるので、計量室２６の軸心が空気通路４０に対して変位することはない。勿論周囲壁３７は形状的な結合手段によって回転するように固定される。一般に、固定は例えばリング状空間４１の口金部方向端部を閉じるリングフランジ４３の摩擦による結合で充分である。フランジは壷形壁３５の周囲壁から突き出し、その縁は口金部３の周囲壁３７の内側に接触する。
【００３５】
図１および図４から明らかなように、口金部３およびねじで取り外す閉止キャップ４の間の同時回転は，両者間の爪形結合４４によって行われる。爪形結合は口金部３の周囲壁３７の長い歯４５により構成され、長い歯は対応する閉止キャップ４３の内側の歯型凹部４６と噛み合う。
【００３６】
翼の形成は２つの回転子ブレード４７である。これは基本的に鎌状の輪郭を備えている。両方の回転子ブレード４７には吸入器１の縦方向の中心軸ｘ−ｘに関して直径的に対向して設けられる。ブレードは中心から離れて軸方向に伸びる支持板４８に保持される。これは回転部２２のアームまたは円板４９の下側に結合される。
【００３７】
回転部２２の床またはカバー２３から貯蔵室側に突き出した自立した回転子ブレード４７は、周方向に充分に離れて直径上の対向位置に配置される。幾何学的には貯蔵室１１の円形断面のほぼ１／４の区間を占める。これは図６に示される。両方の回転子ブレード４７は半径方向に心棒２５の中心に向かう面５０、およびそれと直角に形成されるブレード面５１を備えている。これは心棒２５の周囲壁に対し隙間を残した距離に伸びる。隙間は記号５２を持つ。従ってすりつぶし効果は回避される。面５０は直径上にあることは明らかである。面５０の共通の直径を図６においてｙ―ｙで示す。空間的に平行なブレード面５１は直径ｙ−ｙに対し垂直で、空気通路４０の孔の軸心と一致する計量室２６の横孔軸ｚ―ｚに対しても空間的に平行である。
【００３８】
回転子ブレード４７が結合される円板４９または２本のアームは、回転部２２のカバー２３のリング状の壁５３から突き出している。
【００３９】
図５において特に明瞭に、回転子Ｒが固定子Ｓｔの下側に噛み合い、固定子Ｓｔは貯蔵室１１の内壁から半径方向内側に突き出して、回転子Ｒの回転軌道５４内に自由に達する突起として形成されていることが分る。回転軌道５４は、軸方向に回転部２２の円板４９の下側および相対する回転子ブレード４７の内側で制限されていることが分る。回転軌道を形成する軸方向の間隔は、この方向に測定した突起である固定子Ｓｔの厚さよりも著しく大きい。従って、摩擦に敏感な投与すべき粉末状物質１０に対して機械的な負荷を与えることはない。
【００４０】
固定子Ｓｔは梯形の輪郭を備えている。その円弧状の基礎部は貯蔵室１１の内壁に結合される。基礎部は半径方向の内側に向って面積的に細くなる固定子Ｓｔが、輪郭的に２つの回転子ブレード４７の間に残る１／４区間の間の中間空間５５より小さくなるように寸法を決める。図６から分るように、これは回転軌道５４内での固定子の固定用の十分な組立て開口を提供する。
【００４１】
固定子Ｓｔの半径方向の内側への突き出しは、梯形の山頂面が同様に支持板４８の外側と隙間を持って終わるような半径方向の長さとする。
【００４２】
翼効果は図６から矢印に着目することにより明らかである。矢印ａは回転部２２の戻り回転方向を示す。翼面５１はその前にある粉末を押し出す面として作用する。矢印ｂは大きい内法直径の備えた計量室２６の端部に関する概略の押し出し方向を示す。矢印ｃは別の回転子ブレード４７の対応する効果を示し、これも翼面５１の翼効果に関するものである。固定子Ｓｔはこの場合、同時に回転軌道５４の通路における位置が固定された邪魔板となる。粉末状の物質１０は操縦作用を持つ梯形面の近くにある翼面５１によって素早く室を充填するよう移動し、既に説明したように常に同じ充填条件が得られる。計量室２６は壷形回転部２２のカバー２３の上側の供与位置Uに到達するまで、計量装置Ｄの地域を通過して上昇しながら数回にわたって回転する。
【００４３】
掻き落とし作用を持つ案内開口部２４によって、計量の誤りを与える心棒の周囲に付着する粉末材料を持ち込むことはない。案内開口部は回転点部２２に直接形成せず、貫通部を内張りする気密ブッシュ５６により形成する。気密ブッシュはゴム弾性材料から構成され、カバー２３に係合手段５７によって嵌め込み保持される。ブッシュの高さは円板４９の上側の高さまで達する。
【００４４】
また粉末の紛失をもたらす半径方向の外側に達する抜け出し穴は無く、回転部２２および貯蔵室１１を形成するケース２の間は同じように気密要素が設けられる。これは貯蔵室１１の内壁および回転部２２の間に設けられたゴム弾性材料の気密リング５８により達成される。上記の気密リング５８は予圧を与えて取り付けられる。気密リング５８は２および２２の両方の部品におけるリング状の溝に合わせてはめ込まれる。回転部２２に設けられるリング状溝には参照記号５９を付ける。これはＶ字形の谷形溝として形成される。リング状の壁５３の範囲にあるリング状溝５９の開放角度は約９０度である。溝の輪郭は中心対称で回転案内作用を有する。別の同じ高さのリング状溝６０がケース２の内側、すなわち貯蔵室１１の上側入り口範囲に設けられる。この周囲を取巻くリング状の溝６０の断面は半円形である。組立を容易にするため、リング状の溝６０の前面を回転対称の導入傾斜部６１とする。
【００４５】
持ち上げ心棒として形成した心棒２５は、計量室２６の容積に応じて変更することができ、すなわち計量装置Ｄの主要部品のみを、別の部分量１０’の正確な再現性のある計量を行なうため交換する。
【００４６】
ピストン状の作用をする圧力床１３は、シリンダ空間に対する移動において、ケースはリング状の舌状体１９の背部に空気バランス開口部６２が設けられているので、ケース２の中央区間で能力が損なわれることは無い。
【００４７】
壷形の圧力床１３は、中央に貯蔵室１１の反対方向の凹部を有している。回転子ブレード４７の基本位置において、軸方向に下側に突出する心棒５の端部区間が収容される深さである。
【００４８】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００４９】
吸入器として利用できる。
【図面の簡単な説明】
【００５０】
【図１】本発明による、キャップを閉じた基本位置における吸入器の拡大した側面図である。
【図２】その俯瞰図である。
【図３】吸入器の側面図である。
【図４】閉止キャップを取り排出準備位置にある、図１のような吸入器の断面図である。
【図５】中間位置にある心棒の図１の拡大図で、計量室は固定子の高さに延びている。
【図６】図５の線ＶＩ−ＶＩの断面図である。
【図７】回転子および固定子を備えたの回転部分の詳細および固定子の俯瞰図で、心棒下端の刃物状の形状を示す。
【図８】吸入器を構成する部品の分解配列図で、すべての部品は縦方向断面、心棒は部分的断面である。
【国際調査報告】
2005538816.tif 000011
2005538816.tif 000012
2005538816.tif 000013
2005538816.tif 000014
2005538816.tif 000015
2005538816.tif 000016